(57)【要約】【課題】各無線端末からの信号の衝突を防止する。【解決手段】無線基地局１は、無線端末２Ａに第１の上りタイムスロットＵ１を割り当て、無線端末２Ｂに第２の上りタイムスロットＵ２を割り当てる。この状態において、無線基地局１は、無線端末２Ａ及び２Ｂからの２つの無線信号の衝突を検出した場合、無線端末２Ａに対して奇数番目のフレーム内の第１の上りタイムスロットＵ１を割り当てるとともに、無線端末２Ｂに対して偶数番目のフレーム内の第２の上りタイムスロットＵ２を割り当てる。【選択図】図１
2010200042.tif 000002
【特許請求の範囲】
【請求項１】
上り方向の通信に用いられる上り時間帯を分割した複数の上りタイムスロットを含むフレームが構成され、前記上りタイムスロットを複数の無線端末に割り当てて、時分割多重により前記複数の無線端末との間で信号を伝送する無線基地局であって、
前記複数の無線端末のそれぞれからの信号を受信する受信部と、
前記受信部により受信された２つの信号の衝突を検出する衝突検出部と、
前記衝突検出部により衝突が検出された前記２つの信号の送信元の無線端末に対する単位時間あたりの前記上りタイムスロットの割り当て数を減らすとともに、前記２つの信号の送信元の無線端末に対して互いに異なる前記フレーム内の前記上りタイムスロットを割り当てる再割り当て部と
を備える無線基地局。
【請求項２】
前記再割り当て部は、前記衝突検出部により衝突が検出された前記２つの信号のうち、前方の信号の送信元の無線端末に対して割り当てた前記上りタイムスロットの次の前記上りタイムスロットを割り当て禁止とする請求項１に記載の無線基地局。
【請求項３】
前記再割り当て部は、前記衝突検出部により衝突が検出された前記２つの信号が音声信号である場合にのみ、前記２つの音声信号の送信元の無線端末に対する単位時間あたりの前記上りタイムスロットの割り当て数を減らすとともに、前記２つの音声信号の送信元の無線端末に対して互いに異なる前記フレーム内の前記上りタイムスロットを割り当てる請求項１又は２に記載の無線基地局。
【請求項４】
前記再割り当て部は、前記衝突検出部により衝突が検出された前記２つの信号の一方が音声信号であり、他方がデータ信号である場合に、前記音声信号の送信元の無線端末に対する単位時間あたりの前記上りタイムスロットの割り当て数を減らし、前記データ信号の送信元の無線端末に対する単位時間あたりの前記上りタイムスロットの割り当て数を維持するとともに、前記データ信号の送信元の無線端末に対して未使用の前記上りタイムスロットを割り当てる請求項１乃至３の何れかに記載の無線基地局。
【請求項５】
前記無線端末に対して前記上りタイムスロットを割り当てる前に前記衝突検出部による２つの信号の衝突の検出が想定される場合に、前記２つの信号の送信元の無線端末に対する単位時間あたりの前記上りタイムスロットの割り当て数を前記単位時間あたりのフレーム数の１／２以下とするとともに、前記２つの信号の送信元の無線端末に対して互いに異なる前記フレーム内の前記上りタイムスロットを割り当てる初期割り当て部を備える請求項１乃至４の何れかに記載の無線基地局。
【請求項６】
上り方向の通信に用いられる上り時間帯を分割した複数の上りタイムスロットを含むフレームが構成され、前記上りタイムスロットを複数の無線端末に割り当てて、時分割多重により前記複数の無線端末との間で信号を伝送する無線基地局における通信制御方法であって、
前記無線基地局が、前記複数の無線端末のそれぞれからの信号を受信するステップと、
前記無線基地局が、受信された２つの信号の衝突を検出するステップと、
前記無線基地局が、衝突が検出された前記２つの信号の送信元の無線端末に対する単位時間あたりの前記上りタイムスロットの割り当て数を減らすとともに、前記２つの信号の送信元の無線端末に対して互いに異なる前記フレーム内の前記上りタイムスロットを割り当てるステップと
を備える通信制御方法。
【発明の詳細な説明】
【技術分野】
【０００１】
本発明は、複数の無線端末との間で信号を伝送する無線基地局、及び、当該無線基地局における通信制御方法に関する。
【背景技術】
【０００２】
複数の無線端末と無線基地局との間で時分割複信（ＴＤＤ）及び時分割多重（ＴＤＭＡ）により通信を行う無線通信システムでは、各無線端末と無線基地局との距離は無線端末毎に異なる。このため、各無線端末に異なるタイムスロットを割り当てられているにもかかわらず、距離の違いにより発生する伝搬遅延によって、無線基地局が、各無線端末からのバースト信号を同時に受信してしまう場合がある。
【０００３】
このようなバースト信号の同時受信（衝突）を防止するために、例えば特許文献１及び特許文献２に記載された技術では、無線基地局が各無線端末へ衝突防止のための制御信号を送信する。各無線端末は、受信した制御信号に基づいて、バースト信号の送信タイミングを強制的に調整する。このような制御は、タイムアライメント制御と称される。
【先行技術文献】
【特許文献】
【０００４】
【特許文献１】特開２００１−１６９３４３号公報
【特許文献２】特開２００２−７７０８７号公報
【発明の概要】
【発明が解決しようとする課題】
【０００５】
しかしながら、無線端末が、無線基地局に対して近傍から遠方へ移動すると、上述のようなタイムアライメント制御を行っても、無線基地局によって受信されるバースト信号の時間位置（受信ウィンドウ）が、タイムスロットの後側に外れる場合がある。
【０００６】
このように、無線基地局における受信タイミングが極度に遅延したバースト信号が存在する場合、当該バースト信号は、次のバースト信号と衝突が発生し、正常な復調が困難となる。
【０００７】
特に、ＰＨＳ（Personal Handy Phone System）の無線通信システムでは、マクロセル化に伴い、無線端末と無線基地局との距離の変化が大きいため、上述した信号の衝突が生じやすい。
【０００８】
上記問題点に鑑み、本発明は、各無線端末からの信号の衝突を防止する無線基地局及び通信制御方法を提供することを目的とする。
【課題を解決するための手段】
【０００９】
上述した課題を解決するために、本発明は以下のような特徴を有している。本発明の第１の特徴は、上り方向の通信に用いられる上り時間帯を分割した複数の上りタイムスロットを含むフレームが構成され、前記上りタイムスロットを複数の無線端末（無線端末２Ａ乃至２Ｄ）に割り当てて、時分割多重により前記複数の無線端末との間で信号を伝送する無線基地局（無線基地局１）であって、前記複数の無線端末のそれぞれからの信号を受信する受信部（無線通信部１０６）と、前記受信部により受信された２つの信号の衝突を検出する衝突検出部（衝突検出部１５４）と、前記衝突検出部により衝突が検出された前記２つの信号の送信元の無線端末に対する単位時間あたりの前記上りタイムスロットの割り当て数を減らすとともに、前記２つの信号の送信元の無線端末に対して互いに異なる前記フレーム内の前記上りタイムスロットを割り当てる再割り当て部（割り当て部１５２）とを備えることを要旨とする。
【００１０】
このような無線基地局は、無線端末からの２つの信号の衝突が検出された場合、当該衝突している２つの信号の送信元の無線端末に対する単位時間あたりの上りタイムスロットの割り当て数を減らすこと、換言すれば、上りの伝送速度を下げることによって、衝突している２つの信号の送信元の無線端末に対して互いに異なるフレーム内の上りタイムスロットを割り当てることを可能にする。更に、無線基地局は、衝突している２つの信号の送信元の無線端末に対して互いに異なるフレーム内の上りタイムスロットを割り当てることで、当該衝突している２つの信号の送信元の無線端末に隣接する上りタイムスロットが割り当てられることを防止し、更には、２つの無線端末からの信号の衝突を防止する。
【００１１】
本発明の第２の特徴は、本発明の第１の特徴に係り、前記再割り当て部は、前記衝突検出部により衝突が検出された前記２つの信号のうち、前方の信号の送信元の無線端末に対して割り当てた前記上りタイムスロットの次の前記上りタイムスロットを割り当て禁止とすることを要旨とする。
【００１２】
本発明の第３の特徴は、本発明の第１又は第２の特徴に係り、前記再割り当て部は、前記衝突検出部により衝突が検出された前記２つの信号が音声信号である場合にのみ、前記２つの音声信号の送信元の無線端末に対する単位時間あたりの前記上りタイムスロットの割り当て数を減らすとともに、前記２つの音声信号の送信元の無線端末に対して互いに異なる前記フレーム内の前記上りタイムスロットを割り当てることを要旨とする。
【００１３】
本発明の第４の特徴は、本発明の第１乃至第３の特徴の何れかに係り、前記再割り当て部は、前記衝突検出部により衝突が検出された前記２つの信号の一方が音声信号であり、他方がデータ信号である場合に、前記音声信号の送信元の無線端末に対する単位時間あたりの前記上りタイムスロットの割り当て数を減らし、前記データ信号の送信元の無線端末に対する単位時間あたりの前記上りタイムスロットの割り当て数を維持するとともに、前記データ信号の送信元の無線端末に対して未使用の前記上りタイムスロットを割り当てることを要旨とする。
【００１４】
本発明の第５の特徴は、本発明の第１乃至４の特徴に係り、前記無線端末に対して前記上りタイムスロットを割り当てる前に前記衝突検出部による２つの信号の衝突の検出が想定される場合に、前記２つの信号の送信元の無線端末に対する単位時間あたりの前記上りタイムスロットの割り当て数を前記単位時間あたりのフレーム数の１／２以下とするとともに、前記２つの信号の送信元の無線端末に対して互いに異なる前記フレーム内の前記上りタイムスロットを割り当てる初期割り当て部（割り当て部１５２）を備えることを要旨とする。
【００１５】
本発明の第６の特徴は、上り方向の通信に用いられる上り時間帯を分割した複数の上りタイムスロットを含むフレームが構成され、前記上りタイムスロットを複数の無線端末に割り当てて、時分割多重により前記複数の無線端末との間で信号を伝送する無線基地局における通信制御方法であって、前記無線基地局が、前記複数の無線端末のそれぞれからの信号を受信するステップと、前記無線基地局が、受信された２つの信号の衝突を検出するステップと、前記無線基地局が、衝突が検出された前記２つの信号の送信元の無線端末に対する単位時間あたりの前記上りタイムスロットの割り当て数を減らすとともに、前記２つの信号の送信元の無線端末に対して互いに異なる前記フレーム内の前記上りタイムスロットを割り当てるステップとを備えることを要旨とする。
【発明の効果】
【００１６】
本発明によれば、無線基地局において、各無線端末からの信号の衝突を防止することが可能となる。
【図面の簡単な説明】
【００１７】
【図１】本発明の実施形態に係る無線通信システムの全体概略構成図である。
【図２】本発明の実施形態に係るフレームの構成を示す図である。
【図３】本発明の実施形態に係る無線基地局の構成図である。
【図４】本発明の実施形態に係る無線基地局における上りタイムスロットの割り当ての一例を示す図である。
【図５】本発明の実施形態に係る無線基地局における受信データの構成を示す図である。
【図６】本発明の実施形態に係る無線基地局における上りタイムスロットの再割り当ての一例を示す図である。
【図７】本発明の実施形態に係る無線基地局の動作を示すフローチャートである。
【図８】本発明の実施形態に係る無線基地局における衝突信号検出の動作を示すフローチャートである。
【図９】本発明の実施形態に係る無線基地局における信号判別の動作を示すフローチャートである。
【図１０】本発明の実施形態に係る無線基地局における上りタイムスロットの再割り当ての動作を示すフローチャートである。
【図１１】本発明の実施形態に係る無線基地局における上りタイムスロットの割り当て監視の動作を示すフローチャートである。
【発明を実施するための形態】
【００１８】
次に、図面を参照して、本発明の実施形態を説明する。具体的には、（１）無線通信システムの構成、（２）無線基地局の動作、（３）作用・効果、（４）その他の実施形態について説明する。以下の実施形態における図面の記載において、同一又は類似の部分には同一又は類似の符号を付している。
【００１９】
（１）無線通信システムの構成
まず、本発明の実施形態に係る無線通信システムの構成について、（１．１）無線通信システムの全体概略構成、（１．２）無線基地局の構成の順に説明する。
【００２０】
（１．１）無線通信システムの全体概略構成
図１は、本発明の実施形態に係る無線通信システム１０の全体概略構成図である。
【００２１】
図１に示すように、無線通信システム１０は、ＰＨＳの無線通信システムである。この無線通信システム１０は、無線基地局１と、無線端末２Ａ、無線端末２Ｂ、無線端末２Ｃ及び無線端末２Ｄとを含む。図１において、無線端末２Ａ及び２Ｂは、無線基地局１が提供するセル３に在圏している。
【００２２】
無線基地局１は、無線端末２Ａ及び２Ｂとの通信に先立って、これら無線端末２Ａ及び２Ｂに対して、後述するフレーム内のタイムスロットを割り当てており、無線基地局１と、無線端末２Ａ及び２Ｂとは、ＴＤＤ及びＴＤＭＡにより信号を伝送している。
【００２３】
（１．２）無線基地局の構成
次に、無線基地局１の構成について説明する。図３は、無線基地局１の構成図である。図３に示すように、無線基地局１は、制御部１０２、記憶部１０３、有線通信部１０４、無線通信部１０６及びアンテナ１０８を含む。
【００２４】
制御部１０２は、例えばＣＰＵによって構成され、無線基地局１が具備する各種機能を制御する。記憶部１０３は、例えばメモリによって構成され、無線基地局１における制御などに用いられる各種情報を記憶する。
【００２５】
有線通信部１０４は、図示しない上位のネットワークにおけるゲートウェイサーバ等との間で通信を行う。無線通信部１０６は、ＲＦ回路、ベースバンド回路等を含み、変調及び復調、符号化及び復号等を行い、アンテナ１０８を介して、無線端末２Ａ及び２Ｂとの間で、無線信号の送信及び受信を行う。
【００２６】
制御部１０２は、割り当て部１５２及び衝突検出部１５４を含む。
【００２７】
割り当て部１５２は、無線端末２Ａ及び２Ｂに対して、フレーム内のタイムスロットを割り当てる。
【００２８】
図２は、フレームの構成を示す図である。図２に示すように、フレームは、上り方向（無線端末２から無線基地局１に向かう方向）の通信に用いられる上り時間帯と、下り方向（無線基地局１から無線端末２に向かう方向）の通信に用いられる下り時間帯とからなり、上り時間帯が４つの上りタイムスロットＵ１乃至Ｕ４に分割され、下り時間帯が４つの下りタイムスロットＤ１乃至Ｄ４に分割されている。
【００２９】
割り当て部１５２は、各フレーム内の第１の上りタイムスロットＵ１と第１の下りタイムスロットＤ１とを無線端末２Ａに割り当てる。また、割り当て部１５２は、各フレーム内の第２の上りタイムスロットＵ２と第２の下りタイムスロットＤ２とを無線端末２Ｂに割り当てる。これにより、無線基地局１と無線端末２Ａ及び２Ｂとの間の伝送速度は、上り方向及び下り方向ともフルレートとなる。図４は、上りタイムスロットの割り当ての一例を示す図である。
【００３０】
その後、無線端末２Ａ及び２Ｂは、割り当てられた上りタイムスロットを用いて、無線基地局１へ信号を送信し、割り当てられた下りタイムスロットを用いて、無線基地局１からの信号を受信する。
【００３１】
衝突検出部１５４は、上りタイムスロットを用いて無線端末２Ａ及び２Ｂから送信される無線信号の衝突を検出する。具体的には、衝突検出部１５４は、無線通信部１０６からの連続する上りタイムスロットにある２つの無線信号（無線端末２Ａからの無線信号と無線端末２Ｂからの無線信号）に対応する受信データを入力する。
【００３２】
次に、衝突検出部１５４は、連続する２つの無線信号（無線端末２Ａからの無線信号と無線端末２Ｂからの無線信号）に対応する２つの受信データのＳＮＲが第１の所定レベル以下に劣化したか否かを判定する。２つの受信データのＳＮＲが第１の所定レベル以下に劣化した場合、衝突検出部１５４は、更に、前方の受信データにおけるテール部のＳＮＲを検出するとともに、後方の受信データにおけるヘッダ部のＳＮＲを検出する。
【００３３】
図５は、受信データの構成を示す図である。図５に示す受信データは、２４０ビットのビット長を有する。この受信データは、先頭から順に、４ビット長の過渡応答用ランプタイム（Ｒ）、２ビット長のスタートシンボル（ＳＳ）、６ビット長のプリアンプル（ＰＲ）、１６ビット長のユニークワード（ＵＷ）、１８０ビット長の情報部、１６ビット長のＣＲＣ（Cyclic Redundancy Check）、１６ビット長のガードにより構成されている。ヘッダ部は、過渡応答用ランプタイム（Ｒ）、スタートシンボル（ＳＳ）、プリアンプル（ＰＲ）、ユニークワード（ＵＷ）からなり、テール部は、ＣＲＣからなる。
【００３４】
次に、衝突検出部１５４は、前方の受信データにおけるテール部のＳＮＲが第２の所定レベル以下に劣化し、且つ、後方の受信データにおけるヘッダ部のＳＮＲが第３の所定レベル以下に劣化したか否かを判定する。
【００３５】
前方の受信データにおけるテール部のＳＮＲが第２の所定レベル以下に劣化し、且つ、後方の受信データにおけるヘッダ部のＳＮＲが第３の所定レベル以下に劣化した場合、衝突検出部１５４は、前方の受信データに対応する前方の無線信号と、後方の受信データに対応する後方の無線信号とが衝突したと判定する。
【００３６】
例えば、図１の例では、無線端末２Ａが無線基地局１の遠方に位置している。このため、図４に示すように、無線基地局１において受信される、無線端末２Ａからの無線信号は、遅延して第１の上りタイムスロットＵ１の後方に外れ、第２の上りタイムスロットＵ２に対応する無線端末２Ｂからの無線信号と衝突する。
【００３７】
前方の無線信号と後方の無線信号とが衝突した場合、割り当て部１５２は、これら連続する２つの無線信号（衝突信号）が音声信号であるか否かを判定する。例えば、割り当て部１５２は、受信データ内の情報部を解析することにより、対応する無線信号が音声信号であるか否かを判定することができる。
【００３８】
連続する２つの衝突信号が音声信号である場合、割り当て部１５２は、これら２つの信号の送信元の無線端末２Ａ及び２Ｂに対して、上りタイムスロットを再度割り当てる。
【００３９】
具体的には、割り当て部１５２は、連続する２つの衝突信号のうち、前方の音声信号の送信元の無線端末２Ａに対しては、奇数番目のフレーム内の第１の上りタイムスロットＵ１を割り当てる。また、割り当て部１５２は、連続する２つの衝突信号のうち、後方の音声信号の送信元の無線端末２Ｂに対しては、偶数番目のフレーム内の第２の上りタイムスロットＵ２を割り当てる。
【００４０】
これにより、無線基地局１と無線端末２Ａ及び２Ｂとの間の上り方向の伝送速度は、ハーフレートとなる。また、無線端末２Ａに割り当てられる上りタイムスロットＵ１と無線端末２Ｂに割り当てられる上りタイムスロットＵ２とは、互いに異なるフレーム内に位置するため、無線基地局１において、無線端末２Ａからの信号と、無線端末２Ｂからの信号の衝突が防止される。図６は、上りタイムスロットの再度の割り当ての一例を示す図である。
【００４１】
その後、無線端末２Ａは、割り当てられた奇数番目のフレーム内の第１の上りタイムスロットＵ１を用いて、無線基地局１へ信号を送信し、無線端末２Ｂは、割り当てられた偶数番目のフレーム内の第２の上りタイムスロットＵ２を用いて、無線基地局１へ信号を送信する。
【００４２】
次に、割り当て部１５２は、無線端末２Ａ及び２Ｂ以外の無線端末である無線端末２Ｃ又は２Ｄがセル３内に進入し、当該無線端末２Ｃ又は２Ｄからの呼接続要求が行われたか否かを判定する。無線端末２Ｃ又は２Ｄからの呼接続要求が行われた場合、割り当て部１５２は、奇数番目のフレーム内の第２の上りタイムスロットＵ２、すなわち、遅延している無線端末２Ａからの無線信号に対応する第１の上りタイムスロットＵ１の次の第２の上りタイムスロットＵ２の割り当てを禁止する。
【００４３】
この場合、割り当て部１５２は、無線端末２Ｃ又は２Ｄに対して、未使用の上りタイムスロットである第３の上りタイムスロットＵ３あるいは第４の上りタイムスロットＵ４を割り当てる。
【００４４】
（２）無線基地局の動作
次に、無線基地局１の動作を説明する。図７は、無線基地局１の動作を示すフローチャートである。
【００４５】
ステップＳ１０１において、無線基地局１は、信号の衝突検出を行う。図８は、信号の衝突検出動作を示すフローチャートである。ステップＳ２０１において、無線基地局１は、無線端末２Ａ及び２Ｂから受信した連続する２つの無線信号（前方の無線信号及び後方の無線信号）に対応する受信データを取得し、これら連続する２つの受信データのＳＮＲが第１の所定レベル以下に劣化したか否かを判定する。
【００４６】
２つの受信データのＳＮＲが第１の所定レベル以下に劣化した場合、ステップＳ２０２において、無線基地局１は、前方の受信データにおけるテール部のＳＮＲを検出するとともに、後方の受信データにおけるヘッダ部のＳＮＲを検出し、前方の受信データにおけるテール部のＳＮＲが第２の所定レベル以下に劣化し、且つ、後方の受信データにおけるヘッダ部のＳＮＲが第３の所定レベル以下に劣化したか否かを判定する。
【００４７】
前方の受信データにおけるテール部のＳＮＲが第２の所定レベル以下に劣化し、且つ、後方の受信データにおけるヘッダ部のＳＮＲが第３の所定レベル以下に劣化した場合、無線端末２Ａからの前方の無線信号と無線端末２Ｂからの後方の無線信号とは、衝突している。
【００４８】
この場合、図７のステップＳ１０２において、無線基地局１は、信号の判別を行う。
【００４９】
図９は、信号の判別動作を示すフローチャートである。ステップＳ３０１において、無線基地局１は、連続する２つの衝突信号が音声信号であるか否かを判定する。連続する２つの衝突信号が音声信号でない場合には、一連の動作が終了する。
【００５０】
一方、連続する２つの衝突信号が音声信号である場合、図７のステップＳ１０３において、無線基地局１は、上りタイムスロットの再割り当て処理を行う。
【００５１】
図１０は、上りタイムスロットの再割り当て処理を示すフローチャートである。ステップＳ４０１において、無線基地局１は、前方の音声信号の送信元の無線端末２Ａに対して、奇数番目のフレーム内の第１の上りタイムスロットＵ１を割り当てる。
【００５２】
また、ステップＳ４０２において、無線基地局１は、後方の音声信号の送信元の無線端末２Ｂに対して、偶数番目のフレーム内の第２の上りタイムスロットＵ２を割り当てる。
【００５３】
その後、図７のステップＳ１０４において、無線基地局１は、割り当て監視処理を行う。
【００５４】
図１１は、割り当て監視処理を示すフローチャートである。ステップＳ５０１において、無線基地局１は、無線端末２Ｃ又は２Ｄからの呼接続要求が行われたか否かを判定する。無線端末２Ｃ又は２Ｄからの呼接続要求が行われた場合、ステップＳ５０２において、無線基地局１は、奇数番目のフレーム内の第２の上りタイムスロットＵ２の割り当てを禁止する。
【００５５】
（３）作用・効果
本発明の実施形態に係る無線通信システム１０において、無線端末２Ａに第１の上りタイムスロットＵ１が割り当てられ、無線端末２Ｂに第２の上りタイムスロットＵ２が割り当てられている状態において、無線基地局１は、無線端末２Ａ及び２Ｂからの無線信号の衝突を検出した場合、無線端末２Ａに対して奇数番目のフレーム内の第１の上りタイムスロットＵ１を割り当てるとともに、無線端末２Ｂに対して偶数番目のフレーム内の第２の上りタイムスロットＵ２を割り当てる。
【００５６】
これにより、無線端末２Ａ及び２Ｂの上り伝送速度がハーフレートになり、無線端末２Ａ及び２Ｂに対して互いに異なるフレーム内の上りタイムスロットを割り当てることを可能にする。また、無線基地局１は、無線端末２Ａ及び２Ｂに対して互いに異なるフレーム内の上りタイムスロットを割り当てることで、当該衝突している２つの無線信号の送信元である無線端末２Ａ及び２Ｂに対して、隣接する上りタイムスロットが割り当てられることを防止し、更には、無線端末２Ａ及び２Ｂからの信号の衝突を防止することができる。
【００５７】
また、無線基地局１において、無線端末２Ａからの無線信号は、遅延して第１の上りタイムスロットＵ１の後方に外れ、第２の上りタイムスロットＵ２に対応する無線端末２Ｂからの無線信号と衝突していることに鑑み、無線基地局１は、衝突している２つの無線信号のうちの前方の無線信号の送信元である無線端末２Ａに対して割り当てた第１の上りタイムスロットＵ１の次の上りタイムスロットＵ２の割り当てを禁止することで、再び衝突が生じることを防止することができる。
【００５８】
また、無線基地局１は、衝突している２つの無線信号が音声信号の場合には、上りの伝送速度を下げても、品質の劣化は許容されると考えられることに鑑み、衝突している２つの無線信号が音声信号の場合にのみ、上述した再割り当て処理を行うことで、音声信号以外の品質の劣化が防止される。
【００５９】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００６０】
例えば、上述した実施形態では、無線基地局１は、衝突している２つの無線信号が音声信号の場合にのみ、上りタイムスロットの再割り当て処理を行ったが、衝突している２つの無線信号の一方が音声信号であり、他方がデータ信号である場合には、以下のような処理を行ってもよい。
【００６１】
無線基地局１の制御部１０２内の割り当て部１５２は、例えば、割り当て部１５２は、受信データ内の情報部を解析することにより、対応する無線信号が音声信号であるか、データ信号であるかを判定する。
【００６２】
次に、割り当て部１５２は、音声信号の送信元の無線端末に対しては、奇数番目あるいは偶数番目の上りタイムスロットを再度割り当てる。一方、割り当て部１５２は、データ信号の送信元の無線端末に対しては、各フレーム内の上りタイムスロットを割り当てる。この際、割り当て部１５２は、それまでデータ信号の送信元の無線端末に対して割り当てていた上りタイムスロット以外の上りタイムスロットであって、且つ、未使用の上りタイムスロットを割り当てる。
【００６３】
これにより、データ信号の伝送速度については維持され、データ信号の品質の劣化が防止される。
【００６４】
また、無線基地局１の制御部１０２内の割り当て部１５２は、無線端末２Ａ及び２Ｂに対する最初の上りタイムスロットの割り当て前に、無線端末２Ａ及び２Ｂからの無線信号の衝突の検出が想定される場合には、予め無線端末２Ａに対して、奇数番目のフレーム内の第１の上りタイムスロットＵ１を割り当て、無線端末２Ｂに対して、偶数番目のフレーム内の第２の上りタイムスロットＵ２を割り当てるようにしてもよい。
【００６５】
例えば、割り当て部１５２は、無線端末２Ａ及び２Ｂの位置を取得し、何れかの無線端末の位置が遠方、すなわち、セル３の外縁に近い場合には、２つの信号の衝突の検出が想定されると判定することができる。
【００６６】
このように、無線基地局１が、予め衝突回避のための上りタイムスロットの割り当てを行うことで、再度の割り当てを可能な限り減らして品質の変動を抑えることができる。
【００６７】
また、上述した実施形態では、無線基地局１は、上りタイムスロットの再割り当てにおいて、無線端末２Ａ及び２Ｂの上りの伝送速度をフルレートからハーフレートに変更したが、更にハーフレートからクオーターレートに変更してもよく、フルレートからクオーターレートに変更してもよい。
【００６８】
また、上述した実施形態では、無線基地局１は、前方の受信データにおけるテール部のＳＮＲと、後方の受信データにおけるヘッダ部のＳＮＲとに基づいて、２つの無線信号の衝突を判定したが、衝突判定の手法はこれに限定されない。例えば、無線基地局１は、前方の無線信号に対応する受信データ内のＵＷ（図５参照）の時間位置と後方の無線信号に対応する受信データ内のＵＷの時間位置との差が所定時間以内である場合に、２つの無線信号が衝突していると判定してもよい。
【００６９】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００７０】
本発明の無線基地局及び通信制御方法は、各無線端末からの信号の衝突を防止することができ、無線基地局及び通信制御方法として有用である。
【符号の説明】
【００７１】
１…無線基地局、２Ａ〜２Ｄ…無線端末、３…セル、１０…無線通信システム、１０２…制御部、１０３…記憶部、１０４…有線通信部、１０６…無線通信部、１０８…アンテナ、１５２…割り当て部、１５４…衝突検出部
【図１】
2010200042.tif 000003
【図２】
2010200042.tif 000004
【図３】
2010200042.tif 000005
【図４】
2010200042.tif 000006
【図５】
2010200042.tif 000007
【図６】
2010200042.tif 000008
【図７】
2010200042.tif 000009
【図８】
2010200042.tif 000010
【図９】
2010200042.tif 000011
【図１０】
2010200042.tif 000012
【図１１】
2010200042.tif 000013